(57)【要約】      （修正有）【課題】化粧料を収容する複数の収容空間を有する化粧品容器を提供する。【解決手段】化粧品容器は、内面に水平方向に第１収容部及び第２収容部１２０が形成される容器本体１００と、容器本体の内面上に形成され、第１収容部と第２収容部を区画する分離部４００と、を備え、第１収容部には第１化粧料が充填され、第２収容部には第１化粧料とは異なる第２化粧料が充填される。【選択図】図１
0003226765.tif 000002
【実用新案登録請求の範囲】
【請求項１】
化粧品容器であって、
内面に水平方向に第１収容部及び第２収容部が形成される容器本体と、
前記容器本体の前記内面上に形成され、前記第１収容部と前記第２収容部を区画する分離部と、を備え、
前記第１収容部には第１化粧料が充填され、前記第２収容部には前記第１化粧料とは異なる第２化粧料が充填される
ことを特徴とする化粧品容器。
【請求項２】
前記第１化粧料は、固形または半固形の化粧料であり、前記第２化粧料は、液状またはゲル状の化粧料である
請求項１に記載の化粧品容器。
【請求項３】
前記第２化粧料は、含浸部材に含浸された液状またはゲル状の化粧料である
請求項２に記載の化粧品容器。
【請求項４】
前記第１収容部に脱着可能に結合する第１挿入容器及び前記第２収容部に脱着可能に結合する第２挿入容器の少なくとも一つをさらに備える
請求項１に記載の化粧品容器。
【請求項５】
前記第１挿入容器は、一面に前記分離部が収容されるように内側に窪んだ結着部が形成される
請求項４に記載の化粧品容器。
【請求項６】
前記第１挿入容器の上端には、前記第２収容部に向かって突出形成される第１支持部が形成される
請求項４に記載の化粧品容器。
【請求項７】
前記第１支持部の底面には、下側に突出する加圧突起が形成される
請求項６に記載の化粧品容器。
【請求項８】
前記分離部は、前記容器本体の前記内面から突出形成される
請求項１に記載の化粧品容器。
【請求項９】
前記分離部は、２つからなり、前記分離部のそれぞれは、前記容器本体の内側面から中心に向かって突出形成され、
前記第１挿入容器における前記結着部は、前記第１挿入容器の両端部に形成され、前記分離部のそれぞれを収容する
請求項５に記載の化粧品容器。
【請求項１０】
前記容器本体に脱着可能に結合され、前記第１化粧料及び前記第２化粧料の少なくとも一つが外側に離脱することを防止する結合部をさらに備える
請求項１に記載の化粧品容器。
【請求項１１】
前記結合部は、前記容器本体の外側に形成される収容溝に挿入され、前記容器本体に結合する枠部、並びに前記枠部の上端には、内側に突出形成される第２支持部及び第３支持部を有し、前記第２支持部は前記第１収容部に対応し、前記第３支持部は前記第２収容部に対応する
請求項１０に記載の化粧品容器。
【請求項１２】
前記分離部は、前記結合部の両端部を横切って形成される
請求項１０に記載の化粧品容器。
【請求項１３】
前記結合部における前記第２支持部及び前記第３支持部の少なくとも一部の底面には、下側に突出する固定突起が形成される
請求項１１に記載の化粧品容器。
【請求項１４】
前記結合部における前記枠部の内側面、前記第２支持部の底面、及び前記第３支持部の底面の少なくとも一部には、空気通路が形成される
請求項１１に記載の化粧品容器。
【考案の詳細な説明】
【技術分野】
【０００１】
本考案は、化粧品容器に係り、さらに詳しくは、異なる化粧料を収容する複数の収容空間を有する化粧品容器に関する。
【背景技術】
【０００２】
化粧のためには、多様な色相及び質感を有する化粧品が用いられる。例えば、化粧品としては、アイシャドウ、パウダー、ファウンデーション、リップスティック、リップグロス、アイライナー、マスカラ等が挙げられ、これらの化粧品は、ブラシ（化粧筆）とパフ等のように化粧品を付けて塗る化粧道具及び鏡と一緒に使われ、このような化粧品及び化粧道具は、化粧品容器に貯蔵・収納された状態に保管される。
【０００３】
このうち、ファウンデーション等の化粧品容器は、一般に、化粧品及び化粧道具が収納される容器本体と、前記容器本体を覆って化粧品と化粧道具を保護する蓋体と、前記容器本体と蓋体の閉じ状態を維持させるロック装置と、で構成される。
【０００４】
この種の化粧品容器は、従来、単一の化粧料が収納されていたものから、近年、色や材質等において相違した複数の化粧料が収納されるものへ変わっているが、特に、ユーザの好みやトレンドに応じて、これらの化粧料間の容量の比率が多様であり、また短周期に変わってくるという特徴がある。
【０００５】
このような化粧品容器の特徴を考慮して、消費者を満足させるためには、化粧品容器メーカが多様な規格と構成による化粧品容器を一々製造しなければならず、これは、多くの設備と投資費用を求めるという問題点があった。
【０００６】
しかも、化粧品容器内に複数の化粧料が収納されると、化粧料の充填中、これらの化粧料が互いに干渉して混ざって、化粧品が汚染され、これにより不良の化粧品が出てしまうという問題点があった。
したがって、これを解決するための技術が望まれている。
【考案の概要】
【考案が解決しようとする課題】
【０００７】
本考案は、上記問題点に鑑みなされたものであり、異なる化粧料を収容する複数の収容空間を有する化粧品容器を提供することを目的とする。
【０００８】
本考案の技術的課題は、上述した技術的課題に制限されず、言及されなかった他の技術的課題は、以下の記載に基づいて当業者に明確に理解される。
【課題を解決するための手段】
【０００９】
本考案の実施形態によって化粧品容器が提供される。前記化粧品容器は、化粧品容器であって、内面に水平方向に第１収容部及び第２収容部が形成される容器本体と、前記容器本体の前記内面上に形成され、前記第１収容部と前記第２収容部を区画する分離部と、を備え、前記第１収容部には第１化粧料が充填され、前記第２収容部には前記第１化粧料とは異なる第２化粧料が充填されてもよい。
【００１０】
好ましくは、前記第１化粧料は、固形または半固形の化粧料であり、前記第２化粧料は、液状またはゲル状の化粧料であってもよい。
好ましくは、前記第２化粧料は、含浸部材に含浸された液状またはゲル状の化粧料であってもよい。
【００１１】
また、好ましくは、前記第１収容部に脱着可能に結合する第１挿入容器及び前記第２収容部に脱着可能に結合する第２挿入容器の少なくとも一つをさらに備えてもよい。
また、好ましくは、前記第１挿入容器は、一面に前記分離部が収容されるように内側に窪んだ結着部が形成されてもよい。
また、好ましくは、前記第１挿入容器の上端には、前記第２収容部に向かって突出形成される第１支持部が形成されてもよい。
また、好ましくは、前記第１支持部の底面には、下側に突出する加圧突起が形成されてもよい。
また、好ましくは、前記分離部は、前記容器本体の前記内面から突出形成されてもよい。
【００１２】
また、好ましくは、前記分離部は、２つからなり、前記分離部のそれぞれは、前記容器本体の内側面から中心に向かって突出形成され、前記第１挿入容器における前記結着部は、前記第１挿入容器の両端部に形成され、前記分離部のそれぞれを収容してもよい。
【００１３】
また、好ましくは、前記容器本体に脱着可能に結合され、前記第１化粧料及び前記第２化粧料の少なくとも一つが外側に離脱することを防止する結合部をさらに備えてもよい。
【００１４】
また、好ましくは、前記結合部は、前記容器本体の外側に形成される収容溝に挿入され、前記容器本体に結合する枠部、並びに前記枠部の上端には、内側に突出形成される第２支持部及び第３支持部を有し、前記第２支持部は前記第１収容部に対応し、前記第３支持部は前記第２収容部に対応してもよい。
また、好ましくは、前記分離部は、前記結合部の両端部を横切って形成されてもよい。
また、好ましくは、前記結合部における前記第２支持部及び前記第３支持部の少なくとも一部の底面には、下側に突出する固定突起が形成されてもよい。
また、好ましくは、前記結合部における前記枠部の内側面、前記第２支持部、前記第３支持部の底面の少なくとも一部には、空気通路が形成されてもよい。
【考案の効果】
【００１５】
本考案によれば、複数の収容空間に異なる化粧料が充填されることにより、化粧品の活用度及びユーザの便宜性を改善することができる。
【００１６】
また、本考案によれば、多様な形状及び化粧料の充填容量を有する挿入容器を容器本体に結合することにより、化粧品容器内の化粧料の種類、機能、用途等によって多様なコンセプトの化粧品容器を提供することができる。
【００１７】
また、本考案によれば、異なる化粧料が収容された複数の挿入容器を容器の収容空間に脱着可能に配置することにより、挿入容器を入れ替えることで、ユーザの好みによって多様なコンセプトと用途に合わせて化粧品を活用し、化粧料の再充填を容易に行うことができる。
【００１８】
また、本考案によれば、挿入容器が容器本体に配置されてから、容器本体の内面に形成された分離部によって挿入容器が位置固定されることにより、挿入容器を容器本体から離脱し難くすることができる。
【００１９】
また、本考案によれば、容器本体の一領域に配置された化粧溶液が含浸された含浸部材を挿入容器の支持部が支持することにより、含浸部材が容器本体内に安定的に配置されるようにすることができる。
【００２０】
また、本考案によれば、結合部が容器本体に配置されながら、結合部の支持部が含浸部材及び挿入容器を上側から支持することにより、容器本体上における挿入容器及び含浸部材の結合をさらに堅固にすることができる。
【００２１】
また、本考案によれば、第１化粧料の充填は、挿入容器上において行われ、第２化粧料の充填は、容器本体上において行われることにより、同一の空間において充填するときに生じる化粧料間の干渉や汚染の問題を解決することができる。
【００２２】
また、本考案によれば、第１化粧料及び／または第２化粧料の充填がそれぞれの挿入容器上において行われ、容器本体に組み立てられることにより、化粧料の充填及び組立をさらに容易かつ簡便に行うことができる。
【００２３】
また、本考案によれば、化粧溶液が含浸された含浸部材と同じ第２化粧料が容器本体に充填されてから、挿入容器を容器本体に配置することにより、挿入容器の結合過程において、挿入容器の支持部が、含浸部材を干渉せず、含浸部材の上側に配置されて含浸部材を支持することができる。
【図面の簡単な説明】
【００２４】
【図１】本考案の一実施形態に係る化粧品容器を示す説明図
【図２】図１の化粧品容器の分解状態を示す説明図
【図３】図１の化粧品容器の挿入容器を示す説明図
【図４】図１の化粧品容器の結合部を示す説明図
【図５】図１の化粧品容器の使用例示を示す説明図
【図６】本考案の一実施形態に係る化粧品容器を示す説明図
【図７】本考案の一実施形態に係る結合部を示す説明図
【図８】本考案の一実施形態に係る結合部を示す説明図
【図９】本考案の一実施形態に係る挿入容器を示す説明図
【図１０】本考案の一実施形態に係る化粧品容器を示す分解図
【図１１】本考案の一実施形態に係る化粧品容器を示す説明図
【図１２】図１０の化粧品容器の分解状態を示す説明図
【図１３】本考案の一実施形態に係る化粧品容器を示す説明図
【図１４】本考案の一実施形態に係る化粧品容器を示す説明図
【考案を実施するための形態】
【００２５】
本考案の詳細な説明において引用される図面をさらに充分に理解させるために、各図面の簡単な説明が提供される。
【００２６】
以下、添付された図面を参照して、本考案の好適な実施形態について詳述する。各図面の構成要素に参照符号を付加するに当たって、同一の構成要素に対しては、たとえ他の図面上に表れても、できる限り同一の符号を付与する。また、本考案の実施形態を説明するに当たって、関連した公知構成または機能についての具体的な説明が本考案の実施形態についての理解を妨害すると判断される場合は、その詳細な説明を省略する。また、本考案の実施形態について後述するが、本考案の技術的思想は、これらに限定または制限されず、当業者によって変形されて多様に実施され得る。
【００２７】
明細書の全般にわたって、ある部分が他の部分に「連結」されているとは、「直接的に連結」されている場合のみならず、その中間に他の素子を介して「間接的に連結」されている場合も含む。また、ある部分がある構成要素を「含む」とは、特に拘りがない限り、他の構成要素を除くのではなく、他の構成要素を更に含んでもよいことを意味する。また、本考案に係る実施形態の構成要素を説明するに当たって、第１、第２、Ａ、Ｂ、（ａ）、（ｂ）等の用語を使っている。これらの用語は、単にその構成要素を他の構成要素と区別するためのものであって、その用語により当該構成要素の本質、順序または手順等が限定されるものではない。
【００２８】
図１は、本考案の一実施形態に係る化粧品容器を示す図であり、図２は、図１の化粧品容器の分解状態を示す図であり、図３は、図１の化粧品容器の挿入容器を示す図であり、図４は、図１の化粧品容器の結合部を示す図である。特に、図３の（ａ）は、挿入容器の斜視図であり、図３の（ｂ）は、挿入容器の底面斜視図であり、図４の（ａ）は、結合部の斜視図であり、図４の（ｂ）は、結合部の底面斜視図である。
【００２９】
図１乃至図４を参照すると、化粧品容器は、容器本体１００、挿入容器２００、結合部３００、及び分離部４００を備える。
【００３０】
容器本体１００は、化粧品容器内の各種の構成を収容し、化粧料等が充填される空間を与えるものであって、内面に第１収容部１１０及び第２収容部１２０が形成される。各収容部１１０、１２０には、互いに同じまたは異なる化粧料５１０、５２０が充填される。ここで、化粧料は、例えば、ローション、ミルクローション、モイスチャーローション、栄養ローション、スキンローション、スキンソフナー、スキントナー、アストリンゼント、マッサージクリーム、栄養クリーム、モイスチャークリーム、サンクリーム、エッセンス、サンミルク、ＢＢクリーム、化粧下地、ファンデーション、ＣＣクリーム、日焼け止めクリーム、コンシーラー、チーク、アイシャドウ、アイブロー、口紅、リキッドチーク、リキッドシャドウ、リキッドブローのような多様な化粧料を含んでもよく、このような化粧料は、液状、ゲル状、または非液状であってもよく、好ましくは、固形または半固形（例えば、バーム状、パウダー状等）であってもよい。また、第１収容部１１０及び／または第２収容部１２０に充填される化粧料５１０、５２０は、含浸部材によって含浸された状態であってもよく、この場合、化粧料５１０、５２０は、含浸部材を含んでもよい。例えば、第１収容部１１０には、固形または半固形の第１化粧料５１０が収容され、第２収容部１２０には、液状またはゲル状の化粧料が含浸された含浸部材である第２化粧料５２０が収容されてもよい。
【００３１】
ここで、含浸部材は、多孔性材質で構成され、内部に化粧料が含浸され、外力が加えられて、含浸された化粧料が吐き出されるものであって、例えば、天然ゴム、合成樹脂、ポリウレタン、ラテックス、アクリロニトリル・ブタジエンゴム（ＮＢＲ）、ブタジエンゴム（ＢＲ）、スチレン・ブタジエンゴム（ＳＢＲ）、クロロプレンゴム（ＣＲ）、ブチルゴム（ＩＩＲ）、イソプレンゴム（ＩＲ）、加硫エチレン・プロプレンゴム（ＥＰＲ）、多硫化ゴム、シリコンゴム、フッ素ゴム、ウレタンゴム、アクリルゴム、ＥＰＤＭ（Ｅｔｈｙｌｅｎｅ  ｐｒｏｐｙｌｅｎｅ  ｄｉｅｎｅ  ｍｏｎｏｍｅｒ）ゴム、ポリビニルアルコール（ＰＶＡ）及びエチレンビニルアセテート（ＥＶＡ）、ニトリルゴム、及びこれらの混合物からなる群より選ばれる一つ以上の材質からなってもよいが、これに限定されない。実施形態によって、含浸部材は、天然繊維、人造繊維、及びこれらの混合物からなる群より選ばれる一つ以上の繊維からなってもよい。
【００３２】
容器本体１００は、第１収容部１１０及び第２収容部１２０が形成される内側容器１４０と、内側容器１４０を密閉して結合される内側カバー１５０と、内側容器１４０が収容される外側容器１６０と、外側容器１６０を密閉して結合される外側カバー１７０と、を有する。このとき、外側カバー１７０は、外側容器１６０に形成される第１ヒンジによって回動され、内側カバー１５０は、内側容器１４０によって形成される第２ヒンジによって回動されるように構成され、外側ヒンジ及び内側ヒンジは、干渉を防止するために、互いに一定の角度だけ離隔して配置されてもよい。
【００３３】
挿入容器２００は、化粧料（すなわち、第１化粧料５１０）が充填される容器であって、容器本体１００、特に、第１収容部１１０に脱着可能に結合される。挿入容器２００は、第１収容部１１０への定着のために、少なくとも一部が第１収容部１１０に対応する形状を有し、上面には、内側に窪んで、第１化粧料５１０が収容される充填空間２１０を与える。実施形態によって、挿入容器２００は、複数個で形成されてもよく、各挿入容器２００は、互いに同じまたは異なる第１化粧料５１０の充填容量を有する。
【００３４】
図１乃至図４では、挿入容器２００が、第１化粧料５１０が充填されて、第１収容部１１０に結合するものを示しているが、これは、例示的なものであって、本考案が適用される実施形態によって多様な構成が適用される。例えば、挿入容器２００は、第２化粧料５２０が充填されて、第２収容部１２０に収容されてもよい。また、例えば、挿入容器２００は、複数個で構成され、それぞれ第１化粧料５１０及び第２化粧料５２０が充填されて、第１収容部１１０及び第２収容部１２０に結合されてもよい。
【００３５】
挿入容器２００は、第１収容部１１０に配置され、挿入容器２００の一面に接する分離部４００によって支持され、分離部４００との安定した接触のために、挿入容器２００の一面には、分離部４００に対応する形状に窪んだ第１結着部２２０が形成される。
【００３６】
また、容器本体１００の第２収容部１２０に第２化粧料５２０として液状またはゲル状の化粧料が含浸される含浸部材が配置される場合、第２収容部１２０に収容される含浸部材が外側（特に、上側）に離脱しないように、挿入容器２００の上部面の前端には、第２収容部１２０に向かって突出形成される第１支持部２３０が形成される。突出形成される第１支持部２３０は、外側に離脱しないように含浸部材を支持する。但し、これは、例示的なものであって、第２収容部１２０に他の挿入容器が配置される場合、前記他の挿入容器を加圧して第２収容部１２０から離脱しないようにしてもよい。
【００３７】
また、挿入容器２００の上部面の少なくとも一部には、内側に窪んだ第２結着部２４０が形成される。第２結着部２４０は、結合部３００の第２支持部３２０と接するものであって、挿入容器２００が容器本体１００に配置されてから、結合部３００が容器本体１００に配置されると、結合部３００の第２支持部３２０が挿入容器２００の第２結着部２４０に接し、第２支持部３２０が挿入容器２００を安定的に支持するようになる。
【００３８】
結合部３００は、外部容器１００の第１収容部１１０及び第２収容部１２０の外側に形成される収容溝１８０に挿入され、容器本体１００に結合されるものであって、第１収容部１１０に配置される挿入容器２００及び／または第２収容部１２０に配置される化粧溶液に含浸された含浸部材が外側に離脱することが防止される。
【００３９】
このため、結合部３００には、収容溝１８０に挿入される枠部３１０、並びに枠部３１０の上端から容器本体１００の内側に突出形成される第２支持部３２０及び第３支持部３３０が形成される。このとき、第２支持部３２０は、第１収容部１１０に対応する領域に形成され、第３支持部３３０は、第２収容部１２０に対応する領域に形成されるものであって、図示のように、第２支持部３２０及び第３支持部３３０は一体で連続して形成されてもよいが、これに限定されない。
【００４０】
第２支持部３２０は、第１収容部１１０に向かって突出形成され、挿入容器２００に形成される第２結着部２４０と安定的に接するとともに、挿入容器２００を支持して、挿入容器２００が外側（特に、上側）に離脱することを防止する。すなわち、分離部４００が挿入容器２００の側方向への遊動を防止するが、例えば、化粧品容器を揺らしたりひっくり返したりする場合、第２支持部３２０が挿入容器２００の上側から支持することにより、挿入容器２００の離脱の防止が補完される。
【００４１】
また、第３支持部３３０は、第２収容部１２０に向かって突出形成されることにより、容器本体１００の第２収容部１２０に第２化粧料５２０として液状またはゲル状の化粧料が含浸される含浸部材が配置される場合、第２収容部１２０に収容される含浸部材が外側（特に、上側）へ離脱しないようにする。このとき、第３支持部３３０は、含浸部材と接して形成されるが、実施形態によって、接触による液状またはゲル状の化粧料の流出を防止するために、含浸部材と離隔して形成される。
【００４２】
分離部４００は、容器本体１００の内面から突出形成されるものであって、第１収容部１１０と第２収容部１２０を分離及び／または区画する（点線参照）。また、分離部４００は、第１収容部１１０に配置される挿入容器２００を安定的に支持し、挿入容器２００の位置を固定して離脱を防止することができる。このため、分離部４００は、挿入容器２００が第１収容部１１０に配置されたとき、挿入容器２００の一面に接するように内面に突出形成される。
【００４３】
例えば、分離部４００は、２つからなり、分離部４００のそれぞれは、容器本体１００の内側面から中心に向かって突出形成され、これに対応して、挿入容器２００の一面（特に、両端部）には、分離部４００が収容されるように内側に窪んだ第１結着部２２０が形成されるが、これに限定されない。実施形態によって、挿入容器２００は、分離部４００によって支持されるだけでなく、嵌合方式で第１収容部１１０に結合される。これによって、挿入容器２００が水平方向の外力のみならず、垂直方向の外力に対しても安定的に第１収容部１１０に固定される。
【００４４】
図１乃至図４に示す化粧品容器の形状は、例示的なものであって、本考案が適用される実施形態によって多様な構成が適用される。
【００４５】
図５は、図１の化粧品容器の使用例示を示す図である。
図５に示す化粧品容器の断面図を参照すると、容器本体１００への第１収容部１１０には、第１化粧料５１０が充填された挿入容器２００が配置され、第２収容部１２０には、第２化粧料５２０、すなわち、化粧溶液が含浸された含浸部材が配置される。色や材質等の相違した種類の化粧料が、１つの化粧品容器内に、特に、容器内側の同一の平面上に配置されるので、同時に多様な化粧料を必要とするユーザの便宜を図ることができる。
【００４６】
このとき、挿入容器２００は、分離部４００と接して配置され、分離部４００によって挿入容器２００の離脱、特に、水平方向への遊動が防止される。また、挿入容器２００は、分離部４００に嵌合方式で結合されるので、水平方向のみならず垂直方向への離脱も防止される。また、挿入容器２００の上部面の前端から第２収容部１２０に向かって突出形成される第１支持部２３０が、第１支持部２３０の下側に配置される化粧溶液が含浸された含浸部材を支持し、含浸部材が上側へ離脱することが防止される。
【００４７】
第１収容部１１０及び第２収容部１２０にそれぞれ第１化粧料５１０が充填された挿入容器２００及び第２化粧料５２０が配置されてから、その上部から結合部３００が配置される。このとき、結合部３００は、枠部３１０が外部容器１００の収容溝１８０に挿入されて容器本体１００と結合し、第２支持部３２０及び第３支持部３３０が枠部３１０の上端から容器本体１００の内側に突出形成され、それぞれ挿入容器２００及び含浸部材を支持するようになる。
【００４８】
具体的に、第２支持部３２０は、第１収容部１１０に対応する領域に形成されるものであって、挿入容器２００の上側に位置するが、挿入容器２００と離隔せず、第２結着部２４０と接触することにより、挿入容器２００の位置を固定して、外側への離脱（特に、垂直方向への離脱）が防止される。また、第３支持部３３０は、第２収容部１２０に対応する領域に形成されるものであって、液状またはゲル状の化粧料が含浸される含浸部材上に配置され、第２収容部１２０に収容される含浸部材が外側（特に、上側）へ離脱しないようにする。
【００４９】
図６は、本考案の一実施形態に係る化粧品容器を示す図である。
図６を参照すると、化粧品容器における容器本体１００の内側カバー１５０には、第３収容部１３０が形成される。第３収容部１３０は、内側カバー１５０における、内側容器１４０と接する密閉面の反対面において内側に窪んで形成されるものであって、パフ等の塗布具が配置される。但し、これは、例示的なものであって、第３収容部１３０には、第１収容部１１０及び第２収容部１２０と同様に、少なくとも一つの化粧料が配置されてもよく、複数の化粧料が配置される場合、第３収容部１３０の内面には各化粧料を区画する隔壁が形成される。
【００５０】
図７は、本考案の一実施形態に係る結合部を示す図である。
図示のように、結合部３００’には、固定突起３４０が形成される。固定突起３４０は、第２支持部３２０及び第３支持部３３０の底面から周りに沿って下向き突出されて形成されるものであって、結合部３００’が容器本体１００に結合するとき、固定突起３４０が挿入容器２００及び／または含浸部材を加圧して、挿入容器２００及び／または含浸部材の移動または離脱を防止する。特に、結合部３００’の底面に含浸部材が位置する場合、固定突起３４０は、含浸部材を加圧及び／または貫通して含浸部材を堅固に支持する。
【００５１】
図７は、第２支持部３２０及び第３支持部３３０の底面に形成されるものを示しているが、これは、例示的なものであって、第２支持部３２０及び第３支持部３３０の一つ、または前記支持部３２０、３３０の少なくとも一部に形成されてもよい。また、固定突起３４０が、結合部３００’の周りに沿って形成されるものを示しているが、固定突起３４０は、複数個の突起または突起領域で構成されてもよい。
【００５２】
図８は、本考案の一実施形態に係る結合部を示す図である。
図示のように、結合部３００”には、少なくとも一つの空気通路３５０が形成される。空気通路３５０は、第２支持部３２０の底面から枠部３１０の内側面に窪んで形成される空気連通のための通路であって、結合部３００”が容器本体１００に結合するとき、第２支持部３２０の下側に位置する第１化粧料５１０の部分的な密閉を減らすことができる。すなわち、空気通路３５０を通じて空気が連通することにより、特に、第１化粧料５１０を構成する水分、油分、または成分の蒸発により発生するスウェッティング（液滴または結露）現象を防止する。
【００５３】
図８では、空気通路３５０が枠部３１０及び第２支持部３２０に形成されるものを示しているが、これは、例示的なものであって、第３支持部３３０に形成されてもよく、空気通路３５０の形状も貫通形成されるなど、多様に変形可能である。
【００５４】
図９は、本考案の一実施形態に係る挿入容器を示す図である。
図９を参照すると、挿入容器２００’の第１支持部２３０には、加圧突起２５０が形成される。
【００５５】
上述のように、容器本体１００の第２収容部１２０に、第２化粧料５２０として液状またはゲル状の化粧料が含浸される含浸部材が配置される場合、第１支持部２３０は、第２収容部１２０に収容される含浸部材が外側（特に、上側）に離脱することを防止する。このとき、加圧突起２５０が含浸部材を加圧及び／または貫通することにより、含浸部材がさらに堅固に第２収容部１２０に配置される。
【００５６】
但し、これは、例示的なものであって、挿入容器２００’の加圧突起２５０は、第２収容部１２０に配置される他の挿入容器２００を加圧して堅固に定着させてもよい。
【００５７】
図１０は、本考案の一実施形態に係る化粧品容器を示す分解図である。
図示のように、容器本体１００には２つの挿入容器２００、２００”が配置される。挿入容器２００は、第１化粧料５１０が充填されて、第１収容部１１０に配置され、挿入容器２００”は、第２化粧料５２０が充填されて、第２収容部１２０に配置される。実施形態によって、第２化粧料５２０は、液状またはゲル状の化粧料が充填された含浸部材であってもよい。
【００５８】
このように、各化粧料５１０、５２０を別個の挿入容器２００、２００”に充填してから、容器本体１００に組み立てることにより、化粧料５１０、５２０の充填過程において、化粧料５１０，５２０間の干渉や汚染の問題を解決することができる。また、化粧品の使用以降、化粧料５１０，５２０別にリフィルが容易であり、費用の面で経済的である。
【００５９】
図１１は、本考案の一実施形態に係る化粧品容器を示す図であり、図１２は、図１１の化粧品容器の分解状態を示す図である。
図１１及び図１２を参照すると、分離部４００’が容器本体１００上の第１収容部１１０と第２収容部１２０を区画及び分離する。このため、分離部４００’は、容器本体１００の内面から突出形成されるが、容器本体１００の収容空間を横切って形成される。
【００６０】
第１収容部１１０及び第２収容部１２０には、それぞれ第１化粧料及び第２化粧料が充填され、実施形態によって、第２化粧料５２０は、液状またはゲル状の化粧料が充填された含浸部材であってもよい。
【００６１】
また、図１１乃至図１２では図示していないが、第１収容部１１０及び／または第２収容部１２０に配置される化粧料５１０、５２０は、挿入容器２００、２００’に充填された化粧料５１０、５２０であってもよい。
【００６２】
図１３は、本考案の一実施形態に係る化粧品容器を示す図である。
図１３を参照すると、結合部３００に分離部４００”が形成されている。このように容器本体１００ではなく、結合部３００に分離部４００”が形成されることにより、結合部３００を変更するのみで、化粧品容器に配置される化粧料の構成、例えば、個数や比率を容易に変更することができる。
【００６３】
図１４は、本考案の一実施形態に係る化粧品容器を示す図である。
図示のように、第１収容部１１０及び第２収容部１２０に配置される第１化粧料５１０及び第２化粧料５２０は、使用上の連関関係を有する化粧料であってもよい。すなわち、第１化粧料５１０の使用と第２化粧料５２０の使用が密接な関係を有し、互いに使用上の連関関係を有する化粧料５１０、５２０を隣接した空間に配置することにより、使用上の便宜をさらに改善することができる。具体的に、第１化粧料５１０及び第２化粧料５２０は、基礎化粧、色調化粧等において連関関係を有し、または目、鼻のような極小部位等において連関関係を有してもよい。例えば、第１化粧料５１０は、コンシーラー、チーク、アイシャドウ、アイブロー、口紅、ハイライト、シェーディング等に用いられる固形・半固形の化粧料であり、第２化粧料は、含浸部材に含浸される液状またはゲル状の化粧料として、日焼け止めクリーム、リキッドチーク、リキッドシャドウ、リキッドシェーディング、リキッドブロー、ＢＢクリーム、リキッドファンデーション、ＣＣクリーム等であってもよく、これに限定されない。
【００６４】
以上のように、図面及び明細書において最適な実施形態が開示された。ここで、特定の用語が用いられたが、これは単に本考案を説明するための目的で用いられたものに過ぎず、意味を限定したり、請求の範囲に記載の本考案の範囲を制限したりするために用いられたものではない。よって、この技術分野における通常の知識を有する者であれば、これから種々の変形及び均等な他の実施形態が可能である。よって、本考案の真の技術的な保護範囲は、添付の請求の範囲の技術的な思想によって定められる。
【図１】
0003226765.tif 000003
【図２】
0003226765.tif 000004
【図３】
0003226765.tif 000005
【図４】
0003226765.tif 000006
【図５】
0003226765.tif 000007
【図６】
0003226765.tif 000008
【図７】
0003226765.tif 000009
【図８】
0003226765.tif 000010
【図９】
0003226765.tif 000011
【図１０】
0003226765.tif 000012
【図１１】
0003226765.tif 000013
【図１２】
0003226765.tif 000014
【図１３】
0003226765.tif 000015
【図１４】
0003226765.tif 000016